【手続補正書】
【提出日】平成31年2月7日(2019.2.7)
【手続補正１】
【補正対象書類名】明細書
【補正対象項目名】０００８
【補正方法】変更
【補正の内容】
【０００８】
そこで、本発明は、医用画像の診断依頼と当該診断依頼をもとに行われる診断結果とを管理する仕組みにおいて、診断依頼と結果の対応関係を識別可能な画面を生成する仕組みを提供することを目的としている。
【手続補正２】
【補正対象書類名】明細書
【補正対象項目名】０００９
【補正方法】変更
【補正の内容】
【０００９】
このような課題に対し、本発明は、依頼施設からの医用画像を含む依頼情報と、当該依頼施設から依頼された前記依頼情報に対する単一の結果を示す結果情報とを管理する情報処理システムであって、前記依頼情報と前記結果情報とを含む情報を患者情報と紐づけて記憶する記憶手段と、前記記憶手段で記憶している患者情報のうち、特定の患者情報の指定を受け付ける受付手段と、前記受付手段で指定を受け付けた患者情報に紐づけられた前記情報を時系列順に表示する画面を表示する表示制御手段と、を備え、前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、依頼施設からの医用画像を含む依頼情報と、当該依頼施設から依頼された前記依頼情報に対する単一の結果を示す結果情報とを含む情報を患者情報と紐づけて記憶する記憶手段を備えた情報処理システムの制御方法であって、前記情報処理システムが、前記記憶手段で記憶している患者情報のうち、特定の患者情報の指定を受け付ける受付ステップと、前記受付手段で指定を受け付けた患者情報に紐づけられた前記情報を時系列順に表示する画面を表示する表示制御ステップと、を含み、前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、依頼施設からの医用画像を含む依頼情報と当該依頼施設から依頼された前記依頼情報に対する単一の結果を示す結果情報とを含む情報を、患者情報と紐づけて記憶する記憶手段を備えたサーバ装置と通信可能な情報処理装置であって、前記記憶手段で記憶している患者情報のうち、特定の患者情報の指定を受け付ける受付手段と、前記受付手段で指定を受け付けた患者情報に紐づけられた前記情報を時系列順に表示する画面を表示する表示制御手段と、を備え、前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、依頼施設からの医用画像を含む依頼情報と当該依頼施設から依頼された前記依頼情報に対する単一の結果を示す結果情報とを含む情報を、患者情報と紐づけて記憶する記憶手段を備えたサーバ装置と通信可能な情報処理装置の制御方法であって、前記情報処理装置が、前記記憶手段で記憶している患者情報のうち、特定の患者情報の指定を受け付ける受付ステップと、前記受付ステップで指定を受け付けた患者情報に紐づけられた前記情報を時系列順に表示する画面を表示する表示制御ステップと、を含み、前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、プログラムであって、コンピュータを、上述の情報処理装置として機能させることを特徴とする。
また、本発明は、依頼施設からの医用画像を含む依頼情報と、当該依頼施設から依頼された前記依頼情報に対する単一の結果を示す結果情報とを管理するサーバ装置であって、前記依頼情報と前記結果情報とを含む情報を患者情報と紐づけて記憶する記憶手段と、前記記憶手段で記憶している患者情報のうち、特定の患者情報の指定を受け付ける受付手段と、前記受付手段で指定を受け付けた患者情報に紐づけられた前記情報を時系列順に表示する画面を表示する表示制御手段と、を備え、前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、依頼施設からの医用画像を含む依頼情報と、当該依頼施設から依頼された前記依頼情報に対する単一の結果を示す結果情報とを含む情報を患者情報に紐づけて記憶する記憶手段を備えたサーバ装置の制御方法であって、前記サーバ装置を、前記記憶手段で記憶している患者情報のうち、特定の患者情報の指定を受け付ける受付ステップと、前記受付ステップで指定を受け付けた患者情報に紐づけられた前記情報を時系列順に表示する画面を表示する表示制御ステップと、を含み、前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とする。
また、本発明は、プログラムであって、コンピュータを、上述のサーバ装置として機能させることを特徴とする。
【手続補正３】
【補正対象書類名】明細書
【補正対象項目名】００１０
【補正方法】変更
【補正の内容】
【００１０】
このように、医用画像の診断依頼と当該診断依頼をもとに行われる読影結果とを管理する仕組みにおいて、診断依頼と結果の対応関係を識別可能な画面を生成することができる。
【手続補正４】
【補正対象書類名】特許請求の範囲
【補正対象項目名】全文
【補正方法】変更
【補正の内容】
【特許請求の範囲】
【請求項１】
依頼施設からの医用画像を含む依頼情報と、当該依頼施設から依頼された前記依頼情報に対する単一の結果を示す結果情報とを管理する情報処理システムであって、
前記依頼情報と前記結果情報とを含む情報を患者情報と紐づけて記憶する記憶手段と、
前記記憶手段で記憶している患者情報のうち、特定の患者情報の指定を受け付ける受付手段と、
前記受付手段で指定を受け付けた患者情報に紐づけられた前記情報を時系列順に表示する画面を表示する表示制御手段と、
を備え、
前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とする情報処理システム。
【請求項２】
前記結果情報は、前記医用画像を用いて読影施設で読影した読影結果情報であることを示し、
前記依頼情報は、前記依頼施設からの読影依頼情報であることを示し、
前記表示制御手段は、前記読影依頼情報に対応する依頼側イベント情報と、前記読影結果情報に対応する読影側イベント情報とが時系列順で表示される画面が生成されるように制御することを特徴とする請求項１に記載の情報処理システム。
【請求項３】
前記予め設定された位置は、略中央の位置であって、前記表示制御手段は、前記依頼側イベント情報と前記読影側イベント情報とが区分けされ、且つ共通の時間軸に沿って時系列順で表示されるとともに、前記検査情報に対応する依頼側イベント情報を該共通の時間軸の略中央の位置に表示されるよう制御することを特徴とする請求項２に記載の情報処理システム。
【請求項４】
前記記憶手段は、前記依頼施設と前記読影施設との間で交わされたメッセージ情報を前記患者情報と紐づけて記憶しており、
前記表示制御手段は、前記依頼施設が発したメッセージに対応するイベント情報を前記依頼側イベント情報を表示する側に表示し、前記読影施設が発したメッセージに対応するイベント情報を前記読影側イベント情報を表示する側に表示するように制御することを特徴とする請求項２または３に記載の情報処理システム。
【請求項５】
前記表示制御手段は、前記依頼情報の結果情報に対応するイベント情報を他のイベント情報より強調して表示するように制御することを特徴とする請求項２乃至４に記載の情報処理システム。
【請求項６】
前記表示制御手段は、前記依頼情報と前記結果情報とを示すアイコンを前記時間軸上に表示し、さらに、前記アイコンと当該アイコンに対応する前記イベント情報との紐づけが識別可能な画面を表示するように制御することを特徴とする請求項２乃至５のいずれか１項に記載の情報処理システム。
【請求項７】
前記時間軸は、前記記憶手段に前記患者に関する情報が記憶されている期間の第１時間軸と、前記記憶手段に前記患者に関する情報が記憶されていない期間の最初の年月を示す年月ラベルと、当該年月の後に最初に前記記憶手段に読影に関する情報が発生した年月ラベルとを結ぶ第２時間軸とを含み、
前記表示制御手段は、前記第１時間軸と、前記年月ラベルと、前記第２時間軸との各々を識別可能な態様により時系列順で表示される画面が生成されるように制御することを特徴とする請求項１乃至６のいずれか１項に記載の情報処理システム。
【請求項８】
前記表示制御手段は、前記第１時間軸は実線で表示し、前記第２時間軸は破線で表示することを特徴とする請求項７に記載の情報処理システム。
【請求項９】
前記表示制御手段は、前記患者情報の指定を受け付けた場合は当該患者情報に紐づいた情報のうち最も古い情報または最も新しい情報から時系列に表示されるよう制御し、前記患者情報と前記結果情報の指定を受け付けた場合には当該結果情報と当該結果情報に対応する検査情報とを予め設定された位置に表示されるよう制御することを特徴とする請求項１乃至８のいずれか１項に記載の情報処理システム。
【請求項１０】
依頼施設からの医用画像を含む依頼情報と、当該依頼施設から依頼された前記依頼情報に対する単一の結果を示す結果情報とを含む情報を患者情報と紐づけて記憶する記憶手段を備えた情報処理システムの制御方法であって、
前記情報処理システムが、
前記記憶手段で記憶している患者情報のうち、特定の患者情報の指定を受け付ける受付ステップと、
前記受付ステップで指定を受け付けた患者情報に紐づけられた前記情報を時系列順に表示する画面を表示する表示制御ステップと、
を含み、
前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とする情報処理システムの制御方法。
【請求項１１】
依頼施設からの医用画像を含む依頼情報と当該依頼施設から依頼された前記依頼情報に対する単一の結果を示す結果情報とを含む情報を、患者情報と紐づけて記憶する記憶手段を備えたサーバ装置と通信可能な情報処理装置であって、
前記記憶手段で記憶している患者情報のうち、特定の患者情報の指定を受け付ける受付手段と、
前記受付手段で指定を受け付けた患者情報に紐づけられた前記情報を時系列順に表示する画面を表示する表示制御手段と、
を備え、
前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とする情報処理装置。
【請求項１２】
依頼施設からの医用画像を含む依頼情報と当該依頼施設から依頼された前記依頼情報に対する単一の結果を示す結果情報とを含む情報を、患者情報と紐づけて記憶する記憶手段を備えたサーバ装置と通信可能な情報処理装置の制御方法であって、
前記情報処理装置が、
前記記憶手段で記憶している患者情報のうち、特定の患者情報の指定を受け付ける受付ステップと、
前記受付ステップで指定を受け付けた患者情報に紐づけられた前記情報を時系列順に表示する画面を表示する表示制御ステップと、
を含み、
前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とする情報処理装置の制御方法。
【請求項１３】
コンピュータを、請求項１１に記載の情報処理装置として機能させることを特徴とするプログラム。
【請求項１４】
依頼施設からの医用画像を含む依頼情報と、当該依頼施設から依頼された前記依頼情報に対する単一の結果を示す結果情報とを管理するサーバ装置であって、
前記依頼情報と前記結果情報とを含む情報を患者情報と紐づけて記憶する記憶手段と、
前記記憶手段で記憶している患者情報のうち、特定の患者情報の指定を受け付ける受付手段と、
前記受付手段で指定を受け付けた患者情報に紐づけられた前記情報を時系列順に表示する画面を表示する表示制御手段と、
を備え、
前記表示制御手段は、前記受付手段で前記患者情報と前記結果情報の指定を受け付けた場合には、当該結果情報と当該結果情報に対応する検査情報とを共通の時間軸でユーザに視認させる予め設定された位置に表示されるように制御することを特徴とするサーバ装置。
【請求項１５】
依頼施設からの医用画像を含む依頼情報と、当該依頼施設から依頼された前記依頼情報に対する単一の結果を示す結果情報とを含む情報を患者情報に紐づけて記憶する記憶手段を備えたサーバ装置の制御方法であって、
前記サーバ装置を、
前記記憶手段で記憶している患者情報のうち、特定の患者情報の指定を受け付ける受付ステップと、
前記受付ステップで指定を受け付けた患者情報に紐づけられた前記情報を時系列順に表示する画面を表示する表示制御ステップと、
を含み、
前記表示制御ステップは、前記受付ステップで前記患者情報と前記結果情報の指定を受け付けた場合には、当該結果情報と当該結果情報に対応する検査情報とを共通の時間軸でユーザに視認させる予め設定された位置に表示されるように制御することを特徴とするサーバ装置の制御方法。
【請求項１６】
コンピュータを、請求項１４に記載のサーバ装置として機能させるためのプログラム。